(57)【要約】【課題】プロジェクタの構成部品の経時劣化等に起因する画像の輝度ムラや色ムラ等について、スクリーン及び投写画像の測定装置等を必要としないで、簡易に適切な補正パラメータを得る。【解決手段】、操作部１１０がユーザから補正調整の指示操作を受け付けたときに、制御部１７０は、基準画像データＳをスクリーン上に投写させる。そして、センサ４０Ｒ，４０Ｇ，４０Ｂにおいて基準画像データＳに応じた変調光を検出し、補正パラメータ生成部１４０は、検出された変調光に基づいて補正パラメータＰを生成する。【選択図】図２
2009042342.tif 000002
【特許請求の範囲】
【請求項１】
入射した光を画像データに応じて変調して変調光として射出する光変調素子を有する表示装置であって、
前記光変調素子への画像データの供給を制御する制御部と、
前記光変調素子から射出された変調光を検出する検出部と、
前記検出された変調光に基づいて、前記画像データを補正するための補正パラメータを生成する補正パラメータ生成部と、
前記生成された補正パラメータを記憶する記憶部と、
前記記憶された補正パラメータに基づいて前記画像データを補正する補正部と、
を有することを特徴とする表示装置。
【請求項２】
複数の色光のそれぞれに対応する複数の前記光変調素子を有し、
前記複数の光変調素子から射出されたそれぞれの変調光を検出する複数の前記検出部を有することを特徴とする請求項１に記載の表示装置。
【請求項３】
前記光変調素子から射出された変調光を入射して異なる方向へ反射させる反射ミラーを有し、
前記検出部は、前記反射ミラーを透過した漏れ光となる前記変調光を検出することを特徴とする請求項１又は２に記載の表示装置。
【請求項４】
ユーザからの操作を受け付ける操作部を更に有し、
前記操作部が前記ユーザから前記補正パラメータを生成させる指示を受け付けたときと、前記光変調素子へ入射する光の光源が点灯されたときと、所定の時間が経過したときと、のうち少なくとも１つのタイミングにおいて、
前記制御部は、前記補正パラメータを生成する基準となる基準画像データを前記光変調素子へ供給するように制御し、
前記補正パラメータ生成部は、前記基準画像データに応じて変調されて、前記検出部により検出された変調光に基づいて補正パラメータを生成することを特徴とする請求項１から３のいずれか一項に記載の表示装置。
【請求項５】
前記記憶部は、強誘電体メモリであることを特徴とする請求項１から４のいずれか一項に記載の表示装置。
【請求項６】
前記強誘電体メモリは、１０10以上の書き換え回数に対して耐性を有することを特徴とする請求項５に記載の表示装置。
【発明の詳細な説明】
【技術分野】
【０００１】
本発明は、画像の補正機能を有する表示装置に関する。
【背景技術】
【０００２】
透過型液晶ライトバルブ等の光変調素子を用いて、画像を光学的に投写させて表示するプロジェクタが知られている。このようなプロジェクタにおいて、スクリーン面に表示させた画像の一部に輝度出力値や色出力値等の出力特性値にバラツキが生じることにより、画像の輝度ムラや色ムラとしてユーザに認識されることがある。このバラツキの要因として、光源ランプ等の照明光学系、及び光変調素子等の表示デバイスなど、プロジェクタを構成する部品の製造誤差や性能の経時劣化によるものが考えられる。このような輝度ムラ、色ムラ等に対処するために、画像の出力特性値の分布を補正する様々な補正方法が提案されている。例えば、下記の特許文献１に記載の補正方法では、スクリーン面の投写画像を三角形要素に分割し、その三角形要素の各頂点において補正パラメータを生成する。そして、三角形要素内部の補正パラメータを各頂点の補正パラメータから補間生成することにより画像の補正を行っている。これらの補正パラメータは、ＥＥＰＲＯＭ（Electrically Erasable Programmable Read-Only Memory）のような不揮発性メモリに記憶される。
【０００３】
【特許文献１】特開２０００−３１６１７０号公報
【発明の開示】
【発明が解決しようとする課題】
【０００４】
しかしながら、上記した特許文献１のような従来の補正方法は、プロジェクタの出荷時及びメンテナンス時などにおいて、製品個々に配設された光源ランプ及び光変調素子等の構成部品についての製造誤差等を補正するものであり、これらの構成部品の経時劣化等に起因する画像の輝度ムラや色ムラ等については対処されていない。また、スクリーン面に投写された画像に基づいて、補正パラメータを得ることから、スクリーン及び投写画像の測定装置等が必要になり、簡易に適切な補正パラメータを得ることができない。
【課題を解決するための手段】
【０００５】
本発明は、上記の課題の少なくとも一部を解決するためになされたものであり、以下の形態又は適用例として実現することが可能である。
【０００６】
［適用例１］
入射した光を画像データに応じて変調して変調光として射出する光変調素子を有する表示装置であって、前記光変調素子への画像データの供給を制御する制御部と、前記光変調素子から射出された変調光を検出する検出部と、前記検出された変調光に基づいて、前記画像データを補正するための補正パラメータを生成する補正パラメータ生成部と、前記生成された補正パラメータを記憶する記憶部と、前記記憶された補正パラメータに基づいて前記画像データを補正する補正部と、を有することを特徴とする表示装置。
【０００７】
上記した表示装置によれば、光変調素子が画像データに応じた変調光を射出し、その変調光を検出部が検出する。そして、補正パラメータ生成部が、この検出された変調光に基づいて補正パラメータを生成する。生成された補正パラメータは記憶部に記憶され、補正部が、記憶された補正パラメータに基づいて画像データを補正する。
このことから、検出部は、光変調素子からの変調光を随時検出することが可能となり、補正パラメータ生成部は、この検出された変調光に基づいて補正パラメータを随時生成することが可能となる。これにより、表示装置の構成部品に経時劣化等が発生し、光変調素子からの変調光の輝度出力値や色出力値等の出力特性値に変化があった場合に、補正パラメータ生成部は、随時、変化後のこれらの特性値に応じた補正パラメータを生成することができる。そして、この補正パラメータに基づいて投写対象となる画像データを補正することで、画像の輝度ムラや色ムラ等について対処することができる。
また、検出部は、光変調素子からの変調光を検出することから、従来の表示装置において補正パラメータ生成の際に必要としたスクリーン及び投写画像の測定装置等が不要になる。これにより、表示装置内において補正パラメータ生成の動作を完了することができ、簡易に適切な補正パラメータを得ることができる。
【０００８】
［適用例２］
複数の色光のそれぞれに対応する複数の前記光変調素子を有し、前記複数の光変調素子から射出されたそれぞれの変調光を検出する複数の前記検出部を有することを特徴とする上記表示装置。
【０００９】
上記した表示装置によれば、複数の光変調素子は複数の色光に対応し、複数の色光の変調光のそれぞれを、複数の検出部により検出する。これにより、各色の光変調素子からの変調光に基づいて補正パラメータを生成することができ、カラー画像に対応した表示装置についても適用することができる。
【００１０】
［適用例３］
前記光変調素子から射出された変調光を入射して異なる方向へ反射させる反射ミラーを有し、前記検出部は、前記反射ミラーを透過した漏れ光となる前記変調光を検出することを特徴とする上記表示装置。
【００１１】
上記した表示装置によれば、検出部が検出する変調光は、光変調素子から反射ミラーを透過した漏れ光であることから、投射すべき光の光路が検出部によって妨げられることを防止できる。
【００１２】
［適用例４］
ユーザからの操作を受け付ける操作部を更に有し、前記操作部が前記ユーザから前記補正パラメータを生成させる指示を受け付けたときと、前記光変調素子へ入射する光の光源が点灯されたときと、所定の時間が経過したときと、のうち少なくとも１つのタイミングにおいて、前記制御部は、前記補正パラメータを生成する基準となる基準画像データを前記光変調素子へ供給するように制御し、前記補正パラメータ生成部は、前記基準画像データに応じて変調されて、前記検出部により検出された変調光に基づいて補正パラメータを生成することを特徴とする上記表示装置。
【００１３】
上記した表示装置によれば、ユーザから補正パラメータを生成させる指示を受け付けたときや、光源が点灯されたときや、所定の時間が経過したときに、制御部は、基準画像データを光変調素子へ供給する。そして、補正パラメータ生成部は、この基準画像データに応じて変調された変調光に基づいて補正パラメータを生成する。
ユーザから指示を受け付けたときに補正パラメータを生成することから、ユーザから指示を受け付けた時点における表示装置の状況に適合した補正パラメータを生成することができる。また、光源が点灯されたときに補正パラメータを生成することから、ユーザが表示装置を使用する都度、最新の補正パラメータを生成することができる。更に、所定の時間が経過したときに補正パラメータを生成することから、表示装置の構成部品の経時劣化に応じた時間間隔を設定することができ、この時間間隔で定期的に補正パラメータを生成することができる。
また、補正パラメータ生成部は、基準画像データに応じて変調された変調光に基づいて補正パラメータを生成することから、精度の高い補正パラメータを生成することができる。
【００１４】
［適用例５］
前記記憶部は、強誘電体メモリであることを特徴とする上記表示装置。
【００１５】
上記した表示装置によれば、記憶部は強誘電体メモリであり、不揮発性であることから、記憶されている補正パラメータのデータ保持のための電源を必要としない。
【００１６】
［適用例６］
前記強誘電体メモリは、１０10以上の書き換え回数に対して耐性を有することを特徴とする上記表示装置。
【００１７】
上記した表示装置によれば、強誘電体メモリは書き換え耐性に優れた特性を有することから、記憶部に記憶されている補正パラメータを頻繁に更新する場合においても、問題なく実用化することができる。
【発明を実施するための最良の形態】
【００１８】
（第１実施形態）
以下、第１実施形態に係る表示装置としてのプロジェクタについて図面を参照して説明する。
【００１９】
＜プロジェクタの概略構成＞
第１実施形態に係るプロジェクタの光学系の概略構成について説明する。
図１は、第１実施形態に係るプロジェクタ１の光学系の概略構成を示す図である。同図に示すように、プロジェクタ１は、光源ランプ１０と、集光レンズ及びミラー等の光学素子２０と、光変調素子としての液晶パネル３０Ｒ，３０Ｇ，３０Ｂと、検出部としてのセンサ４０Ｒ，４０Ｇ，４０Ｂと、クロスダイクロイックプリズム等の色合成光学素子５０と、投写レンズ５１とを備えて構成される。
【００２０】
光源ランプ１０から射出された光は、光学素子２０により、面内輝度分布の均一化、及び赤色光（以下、Ｒ光と称する。）、緑色光（以下、Ｇ光と称する。）、青色光（以下、Ｂ光と称する。）の３色の色光に色分離が行われる。そして、色分離された各Ｒ，Ｇ，Ｂ光は、それぞれの色光に対応する液晶パネル３０Ｒ，３０Ｇ，３０Ｂへ射出される。各液晶パネル３０Ｒ，３０Ｇ，３０Ｂに入射した各Ｒ，Ｇ，Ｂ光は、液晶パネル３０Ｒ，３０Ｇ，３０Ｂに供給された画像データに応じて変調されて変調光として射出される。そして、各液晶パネル３０Ｒ，３０Ｇ，３０Ｂから射出された変調光は、色合成光学素子５０により合成され、投写レンズ５１によりスクリーンＳＣ上に拡大投写される。
【００２１】
光源ランプ１０は、超高圧水銀ランプ等の放電発光管１１及びリフレクタ１２を備え、放電発光管１１から放射された光は、リフレクタ１２により方向が揃えられて射出される。
【００２２】
光学素子２０は、照明光学素子２１、ダイクロイックミラー２２，２３及び反射ミラー２４，２５，２６，２７，２８を備えて構成される。
照明光学素子２１は、光源ランプ１０からの射出光の面内輝度分布を均一にさせて、被照明領域となる液晶パネル３０Ｒ，３０Ｇ，３０Ｂのそれぞれの画像形成領域上で重畳させる光学素子である。照明光学素子２１は、複数の小レンズが平面的にマトリクス状に配列され、光源ランプ１０から射出された光を複数の部分光束に分割するマルチレンズアレイや、マルチレンズアレイによって分割された部分光束を集光し、各液晶パネル３０Ｒ，３０Ｇ，３０Ｂの画像形成領域上で重畳させる集光レンズ等を備えて構成される。
【００２３】
ダイクロイックミラー２２，２３は、光源ランプ１０から射出された光をＲ，Ｇ，Ｂ光からなる３色の色光に分離する色分離光学素子である。また、反射ミラー２４，２５，２６，２７，２８は、入射した光を曲折して異なる方向へ反射させる光学素子である。本実施形態では、ダイクロイックミラー２２は、入射したＲ，Ｇ，Ｂ光について、Ｒ光を透過させて液晶パネル３０Ｒへ入射させ、Ｇ，Ｂ光を反射させてダイクロイックミラー２３へ入射させる。ダイクロイックミラー２３は、入射したＧ，Ｂ光について、Ｇ光を反射させて液晶パネル３０Ｇへ入射させ、Ｂ光を透過させて反射ミラー２４へ入射させる。反射ミラー２４は、入射したＢ光を反射させて液晶パネル３０Ｂへ入射させる。各液晶パネル３０Ｒ，３０Ｇ，３０Ｂから射出された変調光は、それぞれの光路後段に配置される反射ミラー２５，２６，２７，２８により、色合成光学素子５０に導かれる。なお、ダイクロイックミラー２３の光路後段には、図示しないレンズ等からなるリレー光学系が配置されるが説明を省略する。
【００２４】
液晶パネル３０Ｒ，３０Ｇ，３０Ｂは、固定画素型の画像生成デバイスとして構成され、画像形成領域上に平面配置される複数の固定画素から構成されている。固定画素は、図示しない一対の透明基板上に密閉封入された液晶に対して電圧を印加するＴＦＴ（Thin Filmed Transistor）をスイッチング素子とする。ＴＦＴのスイッチングに伴い、各画素に印加される電圧が変化することで液晶の配向状態が変化し、入射した各Ｒ，Ｇ，Ｂ光を、供給された画像データに応じて変調することが可能となる。
【００２５】
センサ４０Ｒ，４０Ｇ，４０Ｂは、ここでは、ＣＣＤ（Charge Coupled Devices）センサを用いており、図示しないレンズと受光素子とを備えている。センサ４０Ｒは、反射ミラー２５の後ろ側に配置され、液晶パネル３０Ｒから射出されて反射ミラー２５を透過した漏れ光の光量を検出する。センサ４０Ｇは、反射ミラー２６の後ろ側に配置され、液晶パネル３０Ｇから射出されて反射ミラー２６を透過した漏れ光の光量を検出する。センサ４０Ｂは、反射ミラー２８の後ろ側に配置され、液晶パネル３０Ｂから射出されて反射ミラー２８を透過した漏れ光の光量を検出する。即ち、各センサ４０Ｒ，４０Ｇ，４０Ｂは、液晶パネル３０Ｒ，３０Ｇ，３０Ｂから射出されるＲ，Ｇ，Ｂ光の変調光の光量を検出する。
【００２６】
色合成光学素子５０は、平面視で略Ｘ字状に波長選択膜が形成された光学素子である。各液晶パネル３０Ｒ，３０Ｇ，３０Ｂから射出された変調光は、この色合成光学素子５０において合成されてカラー画像を形成する。
投写レンズ５１は、色合成光学素子５０から射出されたカラー画像を、スクリーンＳＣ上に拡大投写する光学素子であり、複数の組レンズから構成されている。
【００２７】
＜プロジェクタの機能構成＞
次に、第１実施形態に係るプロジェクタの機能構成について説明する。
図２は、第１実施形態に係るプロジェクタの機能構成を示すブロック図である。同図に示すように、プロジェクタ１は、操作部１１０と、画像データ取得部１２０と、記憶部１３０と、補正パラメータ生成部１４０と、補正部１５０と、液晶パネル駆動部１６０と、制御部１７０とを備えて構成される。
【００２８】
操作部１１０は、プロジェクタ１に備えた操作用ボタン及びスイッチ類、及びリモコン装置等を介して、ユーザからプロジェクタ１に対しての指示操作を受け付ける。
【００２９】
画像データ取得部１２０は、例えば、パーソナルコンピュータ、メモリカード及びビデオプレーヤー等から画像データとなる画像信号を取得する。
【００３０】
記憶部１３０には、画像データに対して補正を行うための補正パラメータＰ、及び補正パラメータ生成部１４０において補正パラメータＰを生成する基準となる基準画像データＳが記憶される。この記憶部１３０は、不揮発性の強誘電体メモリであるＦｅＲＡＭ（Ferroelectric Random Access Memory）によって構成される。なお、ＦｅＲＡＭの構成の詳細については後述する。
【００３１】
補正パラメータ生成部１４０は、各液晶パネル３０Ｒ，３０Ｇ，３０Ｂから射出されて、センサ４０Ｒ，４０Ｇ，４０Ｂにおいて検出された変調光の光量情報に基づいて、補正パラメータＰを生成する。ここで、各センサ４０Ｒ，４０Ｇ，４０Ｂにおいて検出された変調光の光量情報は、電気信号に変換されて制御部１７０へ送信される。そして、補正パラメータ生成部１４０は、検出された変調光の光量情報と、例えば記憶部１３０や制御部１７０に備えたＲＯＭ等に予め記憶されている各液晶パネル３０Ｒ，３０Ｇ，３０Ｂについての基準となる光量情報とを比較し、各液晶パネル３０Ｒ，３０Ｇ，３０Ｂに適した補正値を補正パラメータＰとして生成する。
【００３２】
補正部１５０は、画像データ取得部１２０により取得した画像データに対して、記憶部１３０に記憶されている補正パラメータＰを用いて補正を行う。
【００３３】
液晶パネル駆動部１６０は、各液晶パネル３０Ｒ，３０Ｇ，３０Ｂに供給する画像データに基づいて、各液晶パネル３０Ｒ，３０Ｇ，３０Ｂを駆動するための駆動信号を生成する。各液晶パネル３０Ｒ，３０Ｇ，３０Ｂは、それぞれに入射した光をこの駆動信号に応じて変調する。
【００３４】
制御部１７０は、図示しないＣＰＵ、ＲＯＭ、ＲＡＭ等を備えて、上記した操作部１１０、画像データ取得部１２０、記憶部１３０、補正パラメータ生成部１４０、補正部１５０及び液晶パネル駆動部１６０の各部等を制御する。また、制御部１７０は、各液晶パネル３０Ｒ，３０Ｇ，３０Ｂへの画像データの供給を制御する。具体的には、制御部１７０は、補正パラメータ生成部１４０において補正パラメータＰを生成する際に、記憶部１３０に記憶されている基準画像データＳを各液晶パネル３０Ｒ，３０Ｇ，３０Ｂへ供給する。また、制御部１７０は、画像データ取得部１２０において取得して補正部１５０において補正された画像データをスクリーンＳＣ上に投写する際には、この補正された画像データを液晶パネル駆動部１６０を介して各液晶パネル３０Ｒ，３０Ｇ，３０Ｂへ供給する。
【００３５】
＜ＦｅＲＡＭの構成＞
次に、ＦｅＲＡＭの構成について説明する。
ＦｅＲＡＭは、強誘電体材料によってメモリセルが構成されており、強誘電体材料をデータ保持用のキャパシタに利用したメモリである。ここで、強誘電体膜は、自発分極特性を有し、印加される電界方向に応じて分極方向が反転する性質を有している。ＦｅＲＡＭは、この分極反転を記憶保持に利用している。ＦｅＲＡＭは、データ保持のための電源を不要とする不揮発性メモリである。
【００３６】
図３は、ＦｅＲＡＭを構成するメモリセルを示す図である。同図に示すように、メモリセル２５０は、トランジスタ２５１と、強誘電体膜から構成される強誘電体キャパシタ２５２とから構成されている。トランジスタ２５１のゲート端子にＷＬ（ワード線）２５３が接続され、トランジスタ２５１のドレイン端子（又はソース端子）にＢＬ（ビット線）２５４が接続され、トランジスタ２５１のソース端子（又はドレイン端子）に強誘電体キャパシタ２５２の一方側の端子が接続され、強誘電体キャパシタ２５２の他方側の端子にＰＬ（プレート線）２５５が接続されている。
【００３７】
次に、メモリセル２５０にデータを書き込む動作について説明する。メモリセル２５０は、強誘電体キャパシタ２５２の両端子間に所定電圧（Ｖｃｃ）が印加されることにより、「１」及び「０」のデータが書き込まれる。例えば、メモリセル２５０は、ＷＬ２５３が選択状態（トランジスタ２５１オン状態）にされ、ＢＬ２５４が０Ｖにされ、ＰＬ２５５にＶｃｃが印加されることにより「０」が書き込まれる。また、ＢＬ２５４にＶｃｃが印加され、ＰＬ２５５が０Ｖにされることにより「１」が書き込まれる。また、メモリセル２５０は、ＷＬ２５３が非選択状態（トランジスタ２５１オフ状態）になっても書き込まれたデータを保持する。
【００３８】
次に、メモリセル２５０に書き込まれているデータを読み出す動作について説明する。メモリセル２５０には、図示しないセンスアンプ回路が備えられており、ＢＬ２５４がオープン状態（０Ｖ）にされ、ＷＬ２５３が選択状態にされ、ＰＬ２５５にＶｃｃが印加されることにより、ＢＬ２５４を介してセンスアンプ回路に所定の電圧が供給される。センスアンプ回路は、強誘電体キャパシタ２５２の分極状態に応じて異なる電圧が供給され、それぞれの電圧に基づいて増幅を行う。メモリセル２５０は、センスアンプ回路による増幅後の電圧に応じて「１」又は「０」が読み出される。
【００３９】
ここで、メモリセル２５０は、データの読み出し動作において、「１」が読み出された場合、強誘電体キャパシタ２５２の分極が「１」から「０」の状態に反転されることで破壊読出しの動作を行う。そして、メモリセル２５０は、強誘電体キャパシタ２５２の分極を「１」の状態に維持するために、「１」のデータを読み出した後、再び「１」のデータを書き込むことで再書き込み動作を行うように制御されている。また、上記したＦｅＲＡＭは、破壊読出しの動作を行った後の再書き込みの動作を通常の揮発性メモリ（例えば、ＳＲＡＭやＤＲＡＭ等）と同等の高速実行性能を利用して行う。更に、ＦｅＲＡＭは、１０10以上の書き換え回数に対して耐性を有する。
【００４０】
＜プロジェクタの動作＞
次に、第１実施形態に係るプロジェクタ１の動作について説明する。
図４は、第１実施形態に係るプロジェクタ１の動作を示すフローチャートである。同図に示すフローチャートは、プロジェクタ１に電源が投入された後、操作部１１０が、ユーザから光源ランプ１０を点灯させる指示操作を受け付けてからの動作を示している。
【００４１】
先ず、ステップＳ１１０では、制御部１７０は、放電発光管１１に電力を供給させて光源ランプ１０を点灯させる。
【００４２】
ステップＳ１２０では、制御部１７０は、操作部１１０が、ユーザから補正調整の指示操作を受け付けたか否かを判定する。補正調整の指示操作を受け付けた場合は、次のステップＳ１３０へ進み補正調整処理を実行する。ステップＳ１３０における補正調整処理が終了したら、次のステップＳ１４０へ進む。なお、ステップＳ１３０における補正調整処理の詳細については後述する。
他方、補正調整の指示操作を受け付けなかった場合は、ステップＳ１３０における補正調整処理を行わないで、ステップＳ１４０へ進む。
ここでの補正調整は、これまで記憶部１３０に記憶されている補正パラメータＰを、ユーザからの指示操作により、現状のプロジェクタ１の液晶パネル３０Ｒ，３０Ｇ，３０Ｂ等の構成部品に適合するように調整させる処理を示している。
【００４３】
ステップＳ１４０では、補正部１５０は、画像データ取得部１２０が取得した画像データに対して補正を行う。このとき、記憶部１３０に記憶されている補正パラメータＰを用いて補正を行う。ここで、記憶部１３０には、ステップＳ１３０において補正調整処理を行った後の補正パラメータＰ、前回補正調整処理を行った後の補正パラメータＰ、又は出荷時に予め設定された補正パラメータＰのいずれかが記憶されている。
【００４４】
ステップＳ１５０では、制御部１７０は、ステップＳ１４０において補正された画像データをスクリーンＳＣ上に投写させる。このとき、各液晶パネル３０Ｒ，３０Ｇ，３０Ｂには、補正後の画像データが供給されている。
【００４５】
＜補正調整処理の詳細＞
次に、上記した補正調整処理の詳細について説明する。
図５は、補正調整処理の詳細を示すフローチャートである。
【００４６】
先ず、ステップＳ８１０では、制御部１７０は、記憶部１３０に記憶されている基準画像データＳをスクリーンＳＣ上に投写させる。このとき、各液晶パネル３０Ｒ，３０Ｇ，３０Ｂには、基準画像データＳが供給されている。
【００４７】
ステップＳ８２０では、制御部１７０は、各液晶パネル３０Ｒ，３０Ｇ，３０Ｂから射出されて、センサ４０Ｒ，４０Ｇ，４０Ｂにおいて検出された変調光の光量情報を取得する。
【００４８】
ステップＳ８３０では、補正パラメータ生成部１４０は、ステップＳ８２０において取得した、各液晶パネル３０Ｒ，３０Ｇ，３０Ｂから射出された変調光の光量情報に基づいて、補正パラメータＰを生成する。
【００４９】
ステップＳ８４０では、制御部１７０は、ステップＳ８３０において生成された補正パラメータＰを記憶部１３０に記憶させる。
以上で、補正調整処理の動作を終了する。
【００５０】
＜効果＞
上述したように、本実施形態におけるプロジェクタ１では、操作部１１０がユーザから補正調整の指示操作を受け付けたときに、制御部１７０は、基準画像データＳをスクリーンＳＣ上に投写させる。そして、センサ４０Ｒ，４０Ｇ，４０Ｂにおいて基準画像データＳに応じた変調光を検出し、補正パラメータ生成部１４０は、検出された変調光に基づいて補正パラメータＰを生成する。
これにより、ユーザの指示操作に応じて、現状のプロジェクタ１の液晶パネル３０Ｒ，３０Ｇ，３０Ｂ等の構成部品に適合する補正パラメータＰを生成することができる。例えば、スクリーンＳＣに投写された画像に、輝度ムラや色ムラ等があることをユーザが発見した場合に、その時点で補正パラメータＰを更新して、画像の輝度ムラや色ムラ等に対処することができる。
また、補正パラメータＰが記憶される記憶部１３０は、高速書き換え可能であり、且つ１０10以上の書き換え回数に対して耐性を有する強誘電体メモリであるＦｅＲＡＭによって構成される。これにより、記憶部１３０に記憶される補正パラメータＰが頻繁に更新される場合でも、商業的な実使用上の品質保証を確保することができる。
【００５１】
（第２実施形態）
次に、第２実施形態に係る表示装置としてのプロジェクタについて図面を参照して説明する。
第２実施形態に係るプロジェクタの概略構成及び機能構成は、図１及び図２に示す第１実施形態に係るプロジェクタの概略構成及び機能構成と同様である。また、第２実施形態に係るプロジェクタの動作については、前述した図４及び図５に示す第１実施形態に係るプロジェクタの動作と基本的には同様であるが、図４に示すフローチャートにおける一部の動作が異なる。
【００５２】
図６は、第２実施形態に係るプロジェクタの動作を示すフローチャートである。同図に示すフローチャートでは、図４に示すフローチャートのステップＳ１２０における、補正調整の指示操作を受け付けたか否かを判定する処理が省かれている。即ち、第２実施形態に係るプロジェクタ１の動作では、ステップＳ１１０において光源ランプ１０を点灯させた後に、必ずステップＳ１３０において補正調整処理を実行している。
【００５３】
＜効果＞
上述したように、本実施形態におけるプロジェクタ１では、光源ランプ１０を点灯させた後に、必ず補正パラメータＰを生成し直している。これにより、ユーザがプロジェクタ１を使用する都度、最新の補正パラメータＰに更新することができ、スクリーンＳＣに投写される画像の輝度ムラや色ムラ等に確実に対処することができる。
【００５４】
（第３実施形態）
次に、第３実施形態に係る表示装置としてのプロジェクタについて図面を参照して説明する。
第３実施形態に係るプロジェクタの概略構成及び機能構成は、図１及び図２に示す第１実施形態に係るプロジェクタの概略構成及び機能構成と同様である。また、第３実施形態に係るプロジェクタの動作については、前述した図４及び図５に示す第１実施形態に係るプロジェクタの動作と基本的には同様であるが、図４に示すフローチャートにおける一部の動作が異なる。
【００５５】
図７は、第３実施形態に係るプロジェクタの動作を示すフローチャートである。同図に示すフローチャートでは、図４に示すフローチャートのステップＳ１２０における、補正調整の指示操作を受け付けたか否かを判定する処理の内容が異なる。図７に示すフローチャートのステップＳ１２０では、制御部１７０は、プロジェクタ１の積算使用時間が所定時間に達したか否かを判定する。所定時間に達した場合は、次のステップＳ１３０へ進み補正調整処理を行い、ステップＳ１４０へ進む。
他方、所定時間に達していない場合は、ステップＳ１３０における補正調整処理を行わないで、ステップＳ１４０へ進む。
【００５６】
ここで、上記したプロジェクタ１の積算使用時間は、プロジェクタ１に備えた図示しないタイマにより、光源ランプ１０が点灯状態にあるときの時間を計時して積算することにより取得する。また、上記した所定時間は、例えば、記憶部１３０や制御部１７０に備えたＲＯＭ等に、補正調整処理を実行する間隔時間を設定しておき、この間隔時間から積算使用時間と比較する所定時間を求める。例えば、間隔時間を５０時間に設定した場合は、５０時間、１００時間、１５０時間などのように、５０時間の倍数の時間が所定時間となる。即ち、補正調整処理が５０時間間隔で定期的に実行されることになる。
【００５７】
＜効果＞
上述したように、本実施形態におけるプロジェクタ１では、プロジェクタ１の積算使用時間が所定時間に達したときに、補正パラメータＰを生成し直している。これにより、プロジェクタ１の構成部品となる光源ランプ１０や液晶パネル３０Ｒ，３０Ｇ，３０Ｂなどの経時劣化に応じた適切な時間間隔を設定しておき、この時間間隔で定期的に補正パラメータＰを更新することができる。
【００５８】
（変形例１）
上述した実施形態では、ユーザから補正調整の指示操作を受け付けたとき、光源ランプ１０を点灯させたとき、及びプロジェクタ１の積算使用時間が所定時間に達したときに、補正パラメータＰを更新している。しかし、補正パラメータＰを更新するこれらの条件のうち、１つの条件のみをプロジェクタ１に適用するのではなく、複数の条件を組合わせて適用しても良い。例えば、ユーザから補正調整の指示操作を受け付けたときと、プロジェクタ１の積算使用時間が所定時間に達したときとの、両方の条件を適用しても良い。この場合、プロジェクタ１の補正パラメータＰを定期的に更新することができ、且つユーザからの指示操作に応じて補正パラメータＰを柔軟に更新することができる。
【００５９】
（変形例２）
上述した実施形態では、記憶部１３０に補正パラメータＰが設定されている場合に、この補正パラメータＰを更新することが可能である。しかし、これに限られず、例えば出荷前のプロジェクタ１であって、補正パラメータＰが初期設定される前であっても適用することができる。これにより、出荷前のプロジェクタ１に対して、補正調整の指示操作を与えることで、容易に補正パラメータＰの初期設定を行うことができる。
【００６０】
（変形例３）
上述した実施形態では、表示装置として透過型の液晶プロジェクタの例を示したが、これに限られず、液晶プロジェクションテレビ、直視型の液晶パネルを利用する液晶プロジェクタ及び液晶ディスプレイでも良い。また、液晶パネルを用いる表示装置に限られず、ＰＤＰを用いるプラズマテレビや有機ＥＬパネルを用いる有機ＥＬディスプレイなどでも良い。
【図面の簡単な説明】
【００６１】
【図１】第１実施形態に係るプロジェクタの光学系の概略構成を示す図。
【図２】第１実施形態に係るプロジェクタの機能構成を示すブロック図。
【図３】ＦｅＲＡＭを構成するメモリセルを示す図。
【図４】第１実施形態に係るプロジェクタの動作を示すフローチャート。
【図５】補正調整処理の詳細を示すフローチャート。
【図６】第２実施形態に係るプロジェクタの動作を示すフローチャート。
【図７】第３実施形態に係るプロジェクタの動作を示すフローチャート。
【符号の説明】
【００６２】
１…プロジェクタ、１０…光源ランプ、１１…放電発光管、１２…リフレクタ、２０…光学素子、２１…照明光学素子、２２，２３…ダイクロイックミラー、２４，２５，２６，２７，２８…反射ミラー、３０Ｒ，３０Ｇ，３０Ｂ…液晶パネル、４０Ｒ，４０Ｇ，４０Ｂ…センサ、５０…色合成光学素子、５１…投写レンズ、１１０…操作部、１２０…画像データ取得部、１３０…記憶部、１４０…補正パラメータ生成部、１５０…補正部、１６０…液晶パネル駆動部、１７０…制御部、Ｐ…補正パラメータ、Ｓ…基準画像データ。
【図１】
2009042342.tif 000003
【図２】
2009042342.tif 000004
【図３】
2009042342.tif 000005
【図４】
2009042342.tif 000006
【図５】
2009042342.tif 000007
【図６】
2009042342.tif 000008
【図７】
2009042342.tif 000009